(57)【要約】  【課題】  釣り用等の生ものを運搬するための生もの運搬箱に関し、生ものの出し入れ操作が容易で、箱内が汚れない生もの運搬箱用内箱を提供しようとする。  【解決手段】  上部に開口縁を有して該開口縁から垂下する厚さ０．０５〜２ｍｍの側壁と底とを備える樹脂製の箱体を含んで成り、生もの運搬箱に収納される生もの運搬箱用内箱であり、前記箱体の内壁面の隅部の面が略球面状である生もの運搬箱用内箱であり、前記側壁の上縁部が外側に向けて曲折し縦断面が山形を成す生もの運搬箱用内箱であり、前記箱体が蓋を備える生もの運搬箱用内箱であり、前記箱体が該箱体に収納される内箱容器を備える生もの運搬箱用内箱である。又、前記生もの運搬箱用内箱と、該生もの運搬箱用内箱に収納された釣り用の餌と、前記開口縁部を封止する蓋片とを備えて成る箱入り餌である。  【選択図】  図５
2005328763.tif 000002
【特許請求の範囲】
【請求項１】
生もの運搬箱に収納される生もの運搬箱用内箱であって、上部に開口縁を有して該開口縁から垂下する厚さ０．０５〜２ｍｍの側壁と、底とを備える樹脂製の箱体を含んで成り、該箱体が、該生もの運搬箱に収納された状態で該側壁の外面が対面する該生もの運搬箱の内壁面と面接もしくは近接する形状である、生もの運搬箱用内箱。
【請求項２】
前記箱体の内壁面の隅部の面が略球面状である請求項１に記載の生もの運搬箱用内箱。
【請求項３】
前記側壁の上縁部が外側に向けて曲折し縦断面が山形を成し、該箱体が該生もの運搬箱に収納された状態で前記上縁部が該生もの運搬箱の開口縁に係合する請求項１又は２に記載の生もの運搬箱用内箱。
【請求項４】
前記箱体が蓋を備える請求項１乃至３のいずれかに記載の生もの運搬箱用内箱。
【請求項５】
前記樹脂がポリエチレンテレフタレートである請求項１乃至４のいずれかに記載の生もの運搬箱用内箱。
【請求項６】
前記箱体が該箱体に収納される内箱容器を備える請求項１乃至５のいずれかに記載の生もの運搬箱用内箱。
【請求項７】
請求項１乃至５のいずれかに記載の前記生もの運搬箱用内箱と、該生もの運搬箱用内箱に収納された釣り用の餌と、前記開口縁部を封止する蓋片とを備えて成る箱入り餌。
【請求項８】
生もの運搬箱と、該生もの運搬箱に収納された請求項１乃至６のいずれかに記載の前記生もの運搬箱用内箱とを含んで成る複合生もの運搬箱。
【発明の詳細な説明】
【技術分野】
【０００１】
本発明は、釣り用の餌や魚等の生ものを運搬するための生もの運搬箱に関する。
【背景技術】
【０００２】
釣り用の生ものを運搬するための容器としては、従来、撒き餌等の大量の餌を入れて運搬するための、バッカンと称される釣り用餌箱（例えば、特許文献１参照。）や、釣った魚を入れて運搬するためのクーラーボックスと称される保冷用の箱状の容器（例えば、特許文献２参照。）が用いられてきた。
【０００３】
これらの容器は、撒き餌あるいは釣った魚等の生ものを収納して運搬すると、その生ものが取り出されたあとの容器の内壁面が生ものの屑や血糊で汚され、かつ悪臭が残り、掃除に多大の労力と時間を要する。
【０００４】
ポリエチレンの薄いフィルムから成る袋（いわゆるポリ袋）に生ものを入れてからこれらの容器に収めることも考えられるが、撒き餌等の餌の場合は、釣り時に餌を容器から取り出す時にポリ袋が纏わりついて邪魔になる。魚の場合も、釣った魚を容器に入れるときにポリ袋が纏わりついて邪魔になる。更に、ポリ袋は開口部から液が外部即ち容器の中に流失するおそれがある。そのために開口部を紐やゴムバンドで括って閉じる必要があり、生ものの出し入れのたびに開閉の操作を行なうことになり極めて煩雑である。
【特許文献１】特開２０００−２０１６０７号公報
【特許文献２】特開２００１−２０４３４３号公報
【発明の開示】
【発明が解決しようとする課題】
【０００５】
かかる問題に鑑み、本発明の目的は、釣り用の生ものを運搬するための生もの運搬箱に関し、生ものの出し入れ操作が容易で、箱内が汚れない生もの運搬箱用内箱を提供することにある。
【課題を解決するための手段】
【０００６】
本発明の要旨とするところは、生もの運搬箱に収納される生もの運搬箱用内箱であって、上部に開口縁を有して該開口縁から垂下する厚さ０．０５〜２ｍｍの側壁と、底とを備える樹脂製の箱体を含んで成り、該箱体が、該生もの運搬箱に収納された状態で該側壁の外面が対面する該生もの運搬箱の内壁面と面接もしくは近接する形状である、生もの運搬箱用内箱であることにある。
【０００７】
前記箱体の内壁面の隅部の面は略球面状であり得る。
【０００８】
前記生もの運搬箱用内箱においては、前記側壁の上縁部が外側に向けて曲折し縦断面が山形を成し、該箱体が該生もの運搬箱に収納された状態で前記上縁部が該生もの運搬箱の開口縁に係合し得る。
【０００９】
前記箱体は蓋を備え得る。
【００１０】
前記樹脂はポリエチレンテレフタレートであり得る。
【００１１】
前記生もの運搬箱用内箱においては、前記箱体が該箱体に収納される内箱容器を備え得る。
【００１２】
又、本発明の要旨とするところは、前記生もの運搬箱用内箱と、該生もの運搬箱用内箱に収納された釣り用の餌と、前記開口縁部を封止する蓋片とを備えて成る箱入り餌であることにある。
【発明の効果】
【００１３】
本発明によると、生ものの出し入れ操作が容易で、箱内が汚れない生もの運搬箱用内箱を提供できる。
【００１４】
本発明によると、餌の出し入れ操作が容易で、箱内が汚れず、内箱の隅々まで撒き餌の取り出しが容易な釣り餌用箱用内箱を提供できる。
【発明を実施するための最良の形態】
【００１５】
本発明の生もの運搬箱用内箱の実施形態について、図面を使用して説明する。図１は、本発明において使用される生もの運搬箱の一例を示す。図２（ａ）は、図１のA−A方向の断面図であり、図２（ｂ）は、図１のB−B方向の断面図である。図１、図２において、生もの運搬箱２は箱体部４と、蓋部６と、一対の把手８から構成される。図２においては把手８が不図示である。生もの運搬箱２は主に撒き餌等の生の餌を収納して運搬する目的に用いられる。蓋部６は下方に開口する箱形形状を成し、その開口周縁１４が、ファスナー１０を介して箱体部４の上縁部外側周壁面１６と着脱自在に結合されている。箱体部４の上縁部と蓋部６の縁部とがヒンジ結合部１８を介して連結されて、箱体部４と蓋部６とが開閉自在に連結されている。
【００１６】
従来は、生もの運搬箱２にじかに生餌を投入し蓋をして運搬し、釣り時には生もの運搬箱２からじかに生餌を柄杓等を用いて取り出して使用した。このため、生餌を取り出すときに箱体部４、蓋部６や把手８が餌で汚されることが多く、又、使用後の生もの運搬箱２の内壁面が汚れ、かつ悪臭が抜けず清掃に手間がかかった。
【００１７】
本発明においては、この問題を解決するために図３、図４に示す生もの運搬箱用内箱２０が用いられる。図４（ａ）は、図３のＣ−Ｃ方向の断面図であり、図４（ｂ）は、図３のＤ−Ｄ方向の断面図である。生もの運搬箱用内箱２０は、上部に開口縁２２を有して、開口縁２２から垂下する自立性の側壁２４と底３３とを備える非透水性の箱体２６を含んで成り、生もの運搬箱（図１）に収納される。
【００１８】
箱体２６は、内壁面の隅部２９の面が略球面状である。又、側壁２４の上縁部３４が外側に向けて曲折し上縁部３４の縦断面が山形を成す。即ち、側壁２４の上縁部３４が、上縁部３４の周方向Ｓに沿った峰状に外側に向けて湾曲し、周方向Ｓと直角の断面が山形を成す。これにより、曲折した上縁部３４の内側にふところ３６が形成される。
【００１９】
生もの運搬箱用内箱２０は図５に示す状態で生もの運搬箱２に収納される。ふところ３６には、下方から箱体部４の開口縁３８が挿入され、上縁部３４の内側の面が生もの運搬箱２の開口縁３８に載置されて、生もの運搬箱用内箱２０が開口縁３８で安定して支えられ、この状態で蓋部６が閉じられる。即ち箱体２６が生もの運搬箱２に収納された状態で上縁部３４が生もの運搬箱の開口縁３８に係合して生もの運搬箱用内箱２０が安定して支えられる。
【００２０】
更に、曲折した上縁部３４は箱体２６を補強して自立的に形態を安定させる効果が大で、側壁２４が薄くとも箱体２６の形態を自立的に安定させることが出来る。
【００２１】
又、箱体２６は、生もの運搬箱２収納された状態で側壁２４及び底３３のそれぞれの外面が対面する生もの運搬箱の内壁面と面接もしくは近接するようなサイズの形状であり、生もの運搬箱用内箱２０を図５に示す状態で装着した生もの運搬箱２から成る複合生もの運搬箱８０は、生もの運搬箱用内箱２０がない場合とほぼ同量の内容物（生もの）を収納することが出来る。
【００２２】
複合生もの運搬箱８０を使用するときには、生餌は、生もの運搬箱用内箱２０の内側４５に容れられる。従って、生餌で生もの運搬箱２の内壁面が汚されることがない。又、生餌を使用する前に生餌を容れた生もの運搬箱用内箱２０を生もの運搬箱２から取り出すことが出来る。生もの運搬箱用内箱２０は自立性の構造を有するので、これにより、例えば、生もの運搬箱２から撒き餌を容れた生もの運搬箱用内箱２０を取り出し、空の生もの運搬箱２を車中に置いて、撒き餌を容れた生もの運搬箱用内箱２０のみを車の進入出来ない釣り場に運んで、地面に置いて運搬箱用内箱２０内から撒き餌をすくって撒くことが出来る。
【００２３】
図６に示すように、生もの運搬箱用内箱２０は内壁面の隅部２９の面が略球面状であるので、柄杓４７で隅部２９の生餌を殆んど残さずに綺麗に掬いとることが出来る。従来のように生もの運搬箱２にじかに生餌が容れられている場合は柄杓で隅部の生餌を残さずに綺麗に掬いとることが困難である。
【００２４】
図７に示すように、生もの運搬箱用内箱２０は、箱体２６に蓋４２が蓋されるものであってもよい。これにより、運搬中に生もの運搬箱用内箱２０から飛び出して生もの運搬箱２の蓋部６や箱体部４の内壁面が汚されることを防止出来る。蓋４２は、箱体２６と同様に外側に向けて曲折する上縁部４４を有し、蓋４２の上縁部４４を箱体２６の上縁部３４に上からかぶせて、蓋４２の上縁部４４の曲折の内側の面と、箱体２６の上縁部３４の曲折の外側の面に嵌合して互いに密接することにより、箱体２６が蓋４２で封止される。
【００２５】
生もの運搬箱用内箱２０へ市販の生餌を投入したのち蓋４２で封止して生もの運搬箱に収めてもよいが、図８に示すように、予め生もの運搬箱用内箱２０に生餌５１を投入して蓋４２で封止して箱入り餌５０と成し、箱入り餌５０が商品として市販されてもよい。この態様により、生餌の購入者は生餌を生もの運搬箱用内箱２０に移す手間が省け、又、移す際に手等を汚さずに済む。
【００２６】
箱入り餌は、図９に示すように、箱入り餌５０ａがシート片から成る蓋４２ａで封止されてもよい。生もの運搬箱用内箱２０aにおけるの箱体２６ａ上縁部３４ａは、冂型に曲折し、上面が平面状にされている。蓋４２ａと、上縁部３４ａの上面とがホットメルト型の接着剤を介して引き剥がし可能に接着されている。この態様は蓋４２ａと、上縁部３４ａとの封止がより確実であり、流通時や、購入後の運搬時に生餌からの汁の外部への漏れ出しが確実に防止できて好ましい。
【００２７】
本発明の生もの運搬箱用内箱の他の態様を図１０（生もの運搬箱用内箱２０ｂ）、図１１（生もの運搬箱用内箱２０ｃ）、図１２（生もの運搬箱用内箱２０ｃｃ）、図１３（生もの運搬箱用内箱２０ｄ）に示す。
【００２８】
生もの運搬箱用内箱の蓋は、図１０に示すように、側壁を有する箱状の蓋４２ｂ（内箱容器４３）であってもよい。蓋４２ｂは、箱体２６と同様に外側に向けて曲折する上縁部４４を有し、蓋４２ｂの上縁部４４を箱体２６の上縁部３４に上からかぶせて、蓋４２ｂの上縁部４４の曲折の内側の面と、箱体２６の上縁部３４の曲折の外側の面に嵌合して互いに密接することにより、箱体２６が蓋４２ｂで封止される。又、箱状の蓋４２ｂは側壁部が生もの運搬箱用内箱２０に嵌めこまれ、補助容器として使用出来る。
【００２９】
生もの運搬箱用内箱の蓋は、図１１に示すように、側壁を有する箱状の蓋４２ｃ（内箱容器４３ｃ）であってもよい。箱状の蓋４２ｃは側壁部が箱体２６ｃに嵌めこまれ、補助容器として使用出来る。箱体２６ｃは側壁に段差５２が形成されて段差５２を境に上方の側壁が下方の側壁より内幅が広くなっており、上方の側壁の内側に蓋４２ｃが上方を開口させて嵌め込まれる。
【００３０】
生もの運搬箱用内箱の蓋は、図１２に示すように、側壁を有する箱状の蓋４２ｃが下方を開口させて箱体２６ｃに嵌め込まれてもよい。
【００３１】
生もの運搬箱用内箱の蓋は、図１３に示すように、側壁を有する箱状の蓋４２ｄ（内箱容器４３ｄ）であってもよい。蓋４２ｄは、外側に向けて曲折し上縁部４４を有し、蓋４２ｄの上縁部４４を箱体２６ｄの上方に延出する側壁上縁部３４ｄに上からかぶせて、蓋４２ｄの上縁部４４の曲折の内側に箱状の箱体２６ｄの上縁部３４ｄが下から挿入される。
【００３２】
生もの運搬箱用内箱は図１４に示すように、箱体２６に、箱体２６よりやや小型で箱体２６と相似形の箱体２６ｆ（内箱容器４３ｆ）が嵌め込まれた二重構造の生もの運搬箱用内箱２０ｆであってもよい。箱体２６ｆが嵌め込まれた生もの運搬箱用内箱２０ｆを生もの運搬箱に装着し生餌を容れて使用したのち、箱体２６ｆのみを取り外し、箱体２６に魚を入れて持ち帰ることが出来る。
【００３３】
更に、図１５に示すように、本発明の生もの運搬箱用内箱２０ｇは、保冷機能を有する生もの運搬箱６０に装着して魚の運搬に使用出来る。生もの運搬箱６０は、クーラーボックスであり、断熱性の側壁６２、断熱性の底６４、断熱性の蓋６６を備える。
【００３４】
又、図１６に示すように、生もの運搬箱用内箱２０ｈが箱状の蓋４２ｈを備え、生もの運搬箱６０に装着されてもよい。箱状の蓋４２ｈには分別された魚や氷、冷材等が収納出来る。
【００３５】
図１７に示すように、生もの運搬箱用内箱２０ｈが底に複数の通気孔６８が形成された箱状の蓋４２ｊを備え、生もの運搬箱６０に装着されてもよい。箱状の蓋４２ｊには分別された魚や氷、冷材等が収納出来る。通気孔６８により冷気が生もの運搬箱用内箱２０ｈの底部まで行き届き内箱内の冷却が促進される。
【００３６】
本発明においては、箱体（箱体２６、箱体２６ａ、箱体２６ｄ、箱体２６ｆ等）や、蓋（蓋４２、蓋４２ａ、蓋４２ｂ、蓋４２ｃ、蓋４２ｄ、蓋４２ｈ、蓋４２ｊ等）は、樹脂製であることが成形が容易で好ましい。樹脂としては、ポリエチレン、ポリプロピレン等のポリオレフィン系樹脂、ポリエステル系樹脂、ポリスチレン系樹脂、ポリカーボネート系樹脂、ポリ塩化ビニル系樹脂、ポリアミド系樹脂、セルロース系樹脂等が挙げられる。
【００３７】
これらの箱体や蓋は、ポリエチレンテレフタレートであることが剛性が高く側壁や底を薄く成形でき、省資源のうえで好ましい。又、これらの箱体や蓋が、再生ポリエチレンテレフタレートであることが資源の再利用のうえで更に好ましい。
【００３８】
これらの箱体や蓋の壁の厚さは０．０５〜２ｍｍであることが好ましい。０．１〜１ｍｍであることが側壁の自立性と材料費の節減を両立させるうえで、又、廃棄するときに容易に折りたたんで減容できて更に好ましい。０．３〜０．７ｍｍであることがこれらの点で最も好ましい。
【００３９】
使い終えて空になった生もの運搬箱用内箱２０はそのまま通常のプラスチック製トレーやペットボトル等と同様な方法で廃棄することが出来る。即ち、本発明の生もの運搬箱用内箱２０は使い捨てが可能である。あるいは、通常のプラスチック製トレーやペットボトル等と同様な方法で回収して成形用原料として再生することが出来る。
【００４０】
その他、本発明は、主旨を逸脱しない範囲で当業者の知識に基づき種々なる改良、修正、変更を加えた態様で実施できるものである。例えば、図１８に示すように、生もの運搬箱用内箱２０ｋが、箱体２６ｋの上縁の一辺７０から延出される延出蓋４２ｋを備えて、延出蓋４２ｋと生もの運搬箱用内箱２０ｋとが一体に成形され、上縁の一辺７０を折り目として折り曲げ自在とされていてもよい。又、例えば、生もの運搬箱用内箱に更にその内箱として収められる蓋４２ｂ、蓋４２ｃ等の箱状の容器は、１個の生もの運搬箱用内箱に対して複数個であってもよい。
【産業上の利用可能性】
【００４１】
本発明の生もの運搬箱用内箱は、動植物の標本等の採取用の容器にも応用できる。
【図面の簡単な説明】
【００４２】
【図１】図１は、本発明において使用される生もの運搬箱の一例を示す斜視図である。
【図２】図２（ａ）は、図１のＡ−Ａ方向の断面図であり、図２（ｂ）は、図１のＢ−Ｂ方向の断面図である。
【図３】本発明の生もの運搬箱用内箱の態様の一例を示す斜視図である。
【図４】図４（ａ）は、図３のＣ−Ｃ方向の断面図であり、図４（ｂ）は、図３のＤ−Ｄ方向の断面図である。
【図５】本発明の生もの運搬箱用内箱が生もの運搬箱２に収納された状態を示す断面模式図である。
【図６】本発明の生もの運搬箱用内箱の態様を説明する説明図である。
【図７】本発明の生もの運搬箱用内箱の態様の他の一例を示す断面図である。
【図８】本発明の箱入り餌の態様の一例を示す断面図である。
【図９】本発明の箱入り餌の態様の他の一例を示す断面図である。
【図１０】本発明の生もの運搬箱用内箱の態様の更に他の一例を示す断面図である。
【図１１】本発明の生もの運搬箱用内箱の態様の図１０とは異なる一例を示す断面図である。
【図１２】本発明の生もの運搬箱用内箱の態様の図１１とは異なる一例を示す断面図である。
【図１３】本発明の生もの運搬箱用内箱の態様の図１２とは異なる一例を示す断面図である。
【図１４】本発明の生もの運搬箱用内箱の態様の図１３とは異なる一例を示す断面図である。
【図１５】本発明の生もの運搬箱用内箱が保冷機能を有する生もの運搬箱に装着された状態を示す断面模式図である。
【図１６】図１５とは異なる態様の本発明の生もの運搬箱用内箱が保冷機能を有する生もの運搬箱に装着された状態を示す断面模式図である。
【図１７】図１６とは異なる態様の本発明の生もの運搬箱用内箱が保冷機能を有する生もの運搬箱に装着された状態を示す断面模式図である。
【図１８】本発明の生もの運搬箱用内箱の態様の図１４とは異なる一例を示す断面図である。
【符号の説明】
【００４３】
２０、２０ａ、２０ｂ、２０ｃ、２０ｃｃ、２０ｄ、２０ｆ、２０ｇ、２０ｈ、２０ｋ：生もの運搬箱用内箱
２２：開口縁
２４：側壁
２６、２６ａ、２６ｃ、２６ｄ、２６ｆ：箱体
２９：隅部
３３：底 
３４、３４ａ：上縁部
４２、４２ａ、４２ｂ、４２ｃ、４２ｄ、４２ｈ、４２ｊ：蓋
４３、４３ｄ、４３ｆ：内箱容器
５０、５０ａ：箱入り餌
８０：複合生もの運搬箱
【図１】
2005328763.tif 000003
【図２】
2005328763.tif 000004
【図３】
2005328763.tif 000005
【図４】
2005328763.tif 000006
【図５】
2005328763.tif 000007
【図６】
2005328763.tif 000008
【図７】
2005328763.tif 000009
【図８】
2005328763.tif 000010
【図９】
2005328763.tif 000011
【図１０】
2005328763.tif 000012
【図１１】
2005328763.tif 000013
【図１２】
2005328763.tif 000014
【図１３】
2005328763.tif 000015
【図１４】
2005328763.tif 000016
【図１５】
2005328763.tif 000017
【図１６】
2005328763.tif 000018
【図１７】
2005328763.tif 000019
【図１８】
2005328763.tif 000020